(57)【要約】      （修正有）【課題】内部に収容物を収容可能な収容部を備える蓋体構造であって、かさ張らず、収容部の密封性が高く、さらに収容物の保護性が高い構造を提供する。【解決手段】主キャップ７と、収容部８と、上蓋９を備える。主キャップ７は、容器１の開口部２の雄ネジ部１３と螺合する雌ネジ部１４と、開口部２に内嵌される内側筒部１１と、内側筒部１１に結合された外側筒部１０を有する。収容部８は、容器１の開口部２の内径側に主キャップ７に結合して形成され、外部空間に対して開口する開口部１７を有し、容器１の内部空間とは連通しない。上蓋９は、収容部８の開口部１７を塞ぐ。【選択図】図２
0003161747.tif 000002
【実用新案登録請求の範囲】
【請求項１】
ネジ部を有する容器の開口部に取り付けられる蓋体構造であって、
前記容器の開口部のネジ部と螺合するネジ部と、該容器の開口部に内嵌される内側筒部とを有する主キャップと、
前記容器の開口部の内径側に形成され、外部空間に対して開口する開口部を有し、前記容器の内部空間とは連通しない収容部と、
前記収容部の開口部を塞ぐ上蓋とを備えることを特徴とする容器の蓋体構造。
【請求項２】
前記主キャップは、前記内側筒部の一部に連結部を介して結合された外側筒部を有し、該内側筒部が、一端側に前記収容部の開口部が形成され、他端側が塞がれた有底筒状であり、内側に前記収容部を形成し、該外側筒部の内周面に前記容器の開口部の外周面に形成された前記ネジ部と螺合するネジ部が形成されている、請求項１に記載した容器の蓋体構造。
【請求項３】
前記主キャップは、前記内側筒部の一部に連結部を介して結合された外側筒部を有し、該外側筒部の内周面に前記容器の開口部の外周面に形成された前記ネジ部と螺合するネジ部が形成されており、該容器の蓋体構造は、該主キャップとは別体であり、該主キャップに対して相対回転を阻止された状態で組み付けられた副キャップを備え、該副キャップは、前記主キャップの内側筒部の内径側に配置され、一端側に前記収容部の開口部が形成され、他端側が塞がれた有底円筒状の収容筒部を有し、該収容筒部の内側に前記収容部が形成されている、請求項１に記載した容器の蓋体構造。
【請求項４】
前記上蓋が、一端側が塞がれた有底円筒状の嵌合部と、該嵌合部の外周面の一端側外周縁から径方向外方へ突出するフランジ部とを備え、前記嵌合部が、前記内側筒部または前記収容筒部の開口部の内周面に締まり嵌めにより圧入される、請求項２または３に記載した容器の蓋体構造。
【請求項５】
前記収容部の開口部の一端面と、前記上蓋のフランジ部の他端面とが当接した状態で、該収容部の開口部の一端面と、前記上蓋のフランジ部の他端面の外周縁との間に少なくとも一箇所の隙間が形成されている、請求項４に記載した容器の蓋体構造。
【請求項６】
前記収容部の一端側内周面にネジ部が形成されており、前記上蓋が、一端側が塞がれた有底円筒状の嵌合部と、該嵌合部の外周面に形成された前記収容部のネジ部と螺合するネジ部と、該上蓋を回転するための力を伝達可能な係合部とを備える、請求項２または３に記載した容器の蓋体構造。
【請求項７】
前記主キャップと、前記副キャップとの間にシール構造を備える、請求項３に記載した容器の蓋体構造。
【請求項８】
前記容器の開口部と、前記主キャップとの間にシール構造を備える、請求項１〜７のいずれか１項に記載した容器の蓋体構造。
【請求項９】
請求項１〜８のいずれか１項に記載した蓋体構造を備える容器。
【考案の詳細な説明】
【技術分野】
【０００１】
この考案は、ペットボトルなどの容器の開口部に取り付けられる蓋体構造および該蓋体構造を用いた容器に関する。
【背景技術】
【０００２】
ペットボトルなどの容器に、販促品、景品、付属品、食品や薬品などの小物を付属して販売することが行われており、従来、このような場合には、たとえば、小物を収容するための収容容器を別体で設けて、これを容器に取り付けている。
【０００３】
このような別体の収容容器を備えるペットボトルの構造の一例として、引用文献１に開示されている構造を図２０に示す。この構造では、ペットボトル１の開口部２寄り部分に、小物を収容したビニール袋３が係止されている。
【０００４】
この構造の場合、ビニール袋３がペットボトル１の大径部４よりも外径側に配置されているため、箱などに収容してペットボトルを運ぶ流通過程で、ビニール袋３がかさ張るため、ビニール袋３および収容物である小物に衝撃が加わり、収容物が破損してしまうおそれがある。また、流通過程で、ビニール袋３とペットボトル１とが分離してしまうおそれもある。さらに、ビニール袋３は、十分な密封性を確保することが困難であり、サプリメントや薬などの食品または薬品を収容するには適していない。
【０００５】
また、引用文献１には、図２１に示すような構造も記載されている。この構造では、ペットボトル１の開口部２付近に、小物が収容された紙製の収容容器５が取り付けられている。
【０００６】
このような構造によれば、流通過程において、収容容器５が、ペットボトル１の大径部４よりも外径側に大きく外れた位置に配置されることがないため、前述したビニール袋３を設ける構造ほどかさ張ることはない。ただし、紙製であるため、収容容器５に外力が加わった場合に、収容容器５および収容物が変形ないしは破損するおそれがある。また、素材が紙であることから、収容容器５とペットボトル１との分離を完全には防止できず、さらに、水などに弱く、十分な密封性を確保することが困難であって、この収容容器５は、紙製の収容物や、サプリメントや薬などの食品または薬品などを収容するには適していない。
【先行技術文献】
【特許文献】
【０００７】
【特許文献１】特開２００１−１９９４４４号公報
【考案の概要】
【考案が解決しようとする課題】
【０００８】
本考案は、上述のような事情に鑑み、流通過程でかさ張ることがなく、衝撃が加わった場合でも収容物を保護することができ、さらに密封性が高い収容部を備えた容器の蓋体構造の実現を目的としている。
【課題を解決するための手段】
【０００９】
本考案は、ネジ部を有する容器の開口部に取り付けられる容器の蓋体構造に係る。
【００１０】
特に、本考案の蓋体構造は、
前記容器の開口部のネジ部と螺合するネジ部と、該容器の開口部に内嵌される内側筒部とを有する主キャップと、
前記容器の開口部の内径側に形成され、外部空間に対して開口する開口部を有し、前記容器の内部空間とは連通しない収容部と、
前記収容部の開口部を塞ぐ上蓋とを備えることを特徴とする。
【００１１】
より具体的には、本考案の第１態様は、前記主キャップは、前記内側筒部の一部に連結部を介して結合された外側筒部を有し、該内側筒部が、一端側に前記収容部の開口部が形成され、他端側が塞がれた有底筒状であり、内側に前記収容部を形成し、該外側筒部の内周面に前記容器の開口部の外周面に形成された前記ネジ部と螺合するネジ部が形成されている構造を備える。
【００１２】
本考案の第２態様は、前記主キャップは、前記内側筒部の一部に連結部を介して結合された外側筒部を有し、該外側筒部の内周面に前記容器の開口部の外周面に形成された前記ネジ部と螺合するネジ部が形成されており、該容器の蓋体構造は、該主キャップとは別体であり、該主キャップに対して相対回転を阻止された状態で組み付けられた副キャップを備え、該副キャップは、前記主キャップの内側筒部の内径側に配置され、一端側に前記収容部の開口部が形成され、他端側が塞がれた有底円筒状の収容筒部を有し、該収容筒部の内側に前記収容部が形成されている構造を備える。
【００１３】
両態様において、前記上蓋は、一端側が塞がれた有底円筒状の嵌合部と、該嵌合部の外周面の一端側外周縁から径方向外方へ突出するフランジ部とを備え、前記嵌合部が、前記内側筒部または前記収容筒部の開口部の内周面に締まり嵌めにより圧入される構造を採り得る。
【００１４】
この場合、前記収容部の開口部の一端面と、前記上蓋のフランジ部の他端面とが当接した状態で、該収容部の開口部の一端面と、前記上蓋のフランジ部の他端面の外周縁との間に少なくとも一箇所の隙間が形成されていることが好ましい。
【００１５】
また、前記収容部の一端側内周面にネジ部が形成されている場合に、前記上蓋は、一端側が塞がれた有底円筒状の嵌合部と、該嵌合部の外周面に形成された前記収容部のネジ部と螺合するネジ部と、該上蓋を回転するための力を伝達可能な係合部とを備える構造を採り得る。
【００１６】
なお、主キャップと副キャップとを備える構造においては、前記主キャップと、前記副キャップとの間にシール構造を備えることが好ましい。
【００１７】
また、いずれの構造においても、前記容器の開口部と、前記主キャップとの間にシール構造を備えることが好ましい。
【００１８】
いずれの蓋体構造も、開口部に螺号可能なネジ部を備える容器であれば、ペットボトルなどの飲料容器に限らず、その他の各種容器にも好適に適用される。
【００１９】
なお、本考案の説明においても、原則として、一端側または一方側とは、蓋体構造の軸方向の一方向側（構造の上側、容器の外側、図面の上側）をいい、他端側または他方側とは、蓋体構造の軸方向他方向側（構造の下側、容器の内側、図面の下側）をいうものとする。
【考案の効果】
【００２０】
上述のように構成する、本考案の容器の蓋体構造の場合、容器の開口部の内径側に形成した収容部に、収容物である小物などの商品を収容することができる。このため、箱などに容器を収容して運搬する場合に、かさ張ることがなく、また、収容物が容器から分離してしまうこともない。
【００２１】
さらに、流通過程において、蓋体に外力が加わっても、従来構造のビニールや紙製の包装容器とは異なり、収容物の変形または破損を防止できる。
【００２２】
加えて、収容部は、容器の内部空間および外部空間から完全に隔離することができる。このため、十分な密封性を確保することができ、収容物が紙製、たとえば、おみくじなどの場合でも、正常な収納状態が維持され、製品管理コストがかさむことはない。また、密封性が高いため、サプリメントや薬などを収容することもできる。
【図面の簡単な説明】
【００２３】
【図１】図１は、本考案の実施の形態の第１例について、蓋体構造であるボトルキャップを容器へ組み付けた状態を示す、正面斜視図（Ａ）と、ボトルキャップのみを取り出した状態で示す、正面斜視図（Ｂ）である。
【図２】図２は、図１のＡ−Ａ断面図である。
【図３】図３は、図２のａ部拡大図である。
【図４】図４は、本考案の実施の形態の第２例について、蓋体構造であるボトルキャップを容器へ組み付けた状態を示す、正面斜視図（Ａ）と、ボトルキャップのみを取り出した状態で示す、正面斜視図（Ｂ）である。
【図５】図５は、図４のＢ−Ｂ断面図である。
【図６】図６は、本考案の実施の形態の第３例について、蓋体構造であるボトルキャップを容器へ組み付けた状態を示す、正面斜視図（Ａ）と、ボトルキャップのみを取り出した状態で示す、正面斜視図（Ｂ）である。
【図７】図７は、図６のＣ−Ｃ断面図である。
【図８】図８は、本考案の実施の形態の第４例について、蓋体構造であるボトルキャップを容器へ組み付けた状態を示す、正面斜視図（Ａ）と、ボトルキャップのみを取り出した状態で示す、正面斜視図（Ｂ）である。
【図９】図９は、図８のＤ−Ｄ断面図である。
【図１０】図１０は、図９のｂ部拡大図である。
【図１１】図１１は、図９のｃ部拡大図である。
【図１２】図１２は、図９のｄ部拡大図である。
【図１３】図１３は、図９のｅ部拡大図である。
【図１４】図１４は、図９のｆ部拡大図である。
【図１５】図１５は、図９のｇ部拡大図である。
【図１６】図１６は、本考案の実施の形態の第５例について、蓋体構造であるボトルキャップを容器へ組み付けた状態を示す、正面斜視図（Ａ）と、ボトルキャップのみを取り出した状態で示す、正面斜視図（Ｂ）である。
【図１７】図１７は、図１６のＥ−Ｅ断面図である。
【図１８】図１８は、本考案の実施の形態の第６例について、蓋体構造であるボトルキャップを容器へ組み付けた状態を示す、正面斜視図（Ａ）と、ボトルキャップのみを取り出した状態で示す、正面斜視図（Ｂ）である。
【図１９】図１９は、図１８のＦ−Ｆ断面図である。
【図２０】図２０は、ペットボトルに組み付けられた収容容器の従来構造の第１例を示す図である。
【図２１】図２１は、ペットボトルに組み付けられた収容容器の従来構造の第２例を示す図である。
【考案を実施するための形態】
【００２４】
［実施の形態の第１例］
図１〜３に、本考案の蓋体構造の第１態様にかかる実施の形態の第１例を示す。本例のボトルキャップ６は、主キャップ７と、収容部８と、上蓋９とを備える。なお、いずれの部材も、その用途に応じて適切な樹脂材料により形成されるが、飲料容器用の蓋体構造としては、ポリプロピレン（ＰＰ）などのポリマーや、ウレタンゴムなどのエラストマーが好適に用いられる。また、本考案の蓋体構造は、ペット（ＰＥＴ）ボトルなどの飲料容器に限られず、環状で外周面にネジ部が構成される各種容器に適用される。
【００２５】
主キャップ７は、外側筒部１０と、内側筒部１１とを備えている。
【００２６】
外側筒部１０は、円筒状であり、容器であるペットボトル１の開口部２に外嵌できる長さに伸長し、その内周面に、ペットボトル１の開口部２の外周面に形成された雄ネジ部１３と螺合される、雌ネジ部１４を備えている。基本的には、通常のペットボトル用のキャップの円筒部と同様の構成である。なお、容器であるペットボトルの開口部の内周面に雌ネジ部がある特殊な容器の場合には、主キャップを１つの円筒部から形成し、外周面に該雄ネジ部に螺合される雌ネジ部を形成し、同時に該円筒部が開口部に内嵌されるように構成してもよい。
【００２７】
内側筒部１１は、外側筒部１０およびペットボトル１の開口部２の内径側に、外側筒部１０と同軸に配され、外側筒部１０よりも長く伸長し、軸方向一端側（図２の上側）を外部空間に対して開口し、軸方向他端側を底板部１５により塞がれた有底円筒状である。
【００２８】
このような外側筒部１０と内側筒部１１とは、軸方向一端縁において、連結部である円輪部１６を介して結合されて、一体に形成されている。
【００２９】
収容部８は、内側筒部１１の内周面と前記底板部１５とで囲まれている空間により構成される。このような収容部８は、ペットボトル１の内部空間とは連通せず、軸方向一端側にのみ外部空間に対して開口する開口部１７を有する。
【００３０】
上蓋９は、円筒状の嵌合部１８と、嵌合部１８の一端側を塞ぐ蓋部１９と、嵌合部１８の一端縁から、蓋部１９と連続するように径方向外方に突出するフランジ部２０とを備えている。嵌合部１８は、内側筒部１１の軸方向一端側内周面の内径とほぼ同じ外径を有する。嵌合部１８が、収容部８の開口部１７である内側筒部１１の軸方向一端側内周面に対して締まり嵌めにより圧入されることで、収容部８が上蓋９により密封される。なお、このような圧入による上蓋９の内側筒部１１に対する保持力は、搬送時の振動、衝撃などにより上蓋９が内側筒部１１から外れることがなく、開封の際、力のない者でも外せる程度に確保できればよい。また、後述する実施の形態の第４例の上蓋９ｂ（図９参照）の構造のように、上蓋９の内側筒部１１に対する所望の保持力を確保するために、上蓋９の嵌合部１８の他端側外周面に、一部または全周にわたり他の外周面よりもわずかに大きい外径を有する突出部４３（図１１参照）を設ける構造にしてもよい。また、フランジ部２０の軸方向一端面の径方向中間部には、全周にわたり凹溝５３が形成されている。凹溝５３は、径方向に関して、嵌合部１８の外周面とほぼ等しい位置に形成されている。このようにして、上蓋９を内側筒部１１から外す際、フランジ部２０が弾性変形し易いようにしている。
【００３１】
また、本例の蓋体構造では、組付け状態で、ペットボトル１が密閉されるように、複数のシール構造を備えている。
【００３２】
まず、内側筒部１１の外周面は、軸方向一端寄り部分を大径外周面２１（図３参照）とし、大径外周面２１以外の部分を大径外周面２１の外径よりもやや小さな外径を有する小径外周面２２としている。組付け状態で、大径外周面２１は、ペットボトル１の開口部２の内周面と隙間なく当接する。このようにして、ペットボトル１の開口部２と、主キャップ７との間のシールを図っている。
【００３３】
また、円輪部１６の軸方向他端面の径方向中間部には全周にわたり、該他端面から軸方向他方側へ突出したシール用リブ２３（図３参照）が形成されている。組付け状態で、シール用リブ２３は、対向するペットボトル１の開口部２の軸方向一端面と隙間なく当接する。このようにして、ペットボトル１の開口部２と主キャップ７との間のシールを図っている。なお、図３は、シール用リブ２３の自由状態における形状を示している。また、さらに大きなシール性を要する場合には、シール用リブ２３を形成せず、前記円輪部１６の軸方向他端面と、前記ペットボトル１の開口部２の軸方向一端面との間に、エラストマーまたは発泡性樹脂などの円輪状のシール部材を設ける構造とすることもできる。
【００３４】
本例のボトルキャップの組立ては、たとえば、以下のような手順で行う。まず、収容部８に、収容物を収容して、上蓋９の嵌合部１８を、収容部８の開口部１７である内側筒部１１の軸方向一端側内周面に対して締まり嵌めで圧入する。このようにして、収容部８を密封する。なお、収容物としては、景品、販促品、付属品として付属される、フィギュア、ストラップ、おみくじ、サプリメント、薬品などが挙げられる。
【００３５】
次いで、主キャップ７の外側筒部１０の雌ネジ部１４と、ペットボトル１の開口部２の雄ネジ部１３とを螺合することで、ボトルキャップ６をペットボトル１に対して組み付ける。
【００３６】
さらに、ボトルキャップ６をペットボトル１に対して組み付けた状態で、ボトルキャップ６と、ペットボトル１の開口部１７の周辺をシュリンクフィルム（図示省略）で覆う。このシュリンクフィルムは、容器が未開封であることを証明する、いわゆるバージンシールの役割を果たす。なお、主キャップを従来のペットボトル用の蓋体構造と同様に、切り離し部のような構造をもって容器の開口部に組み付けるようにしてもよい。
【００３７】
本例のボトルキャップ６を組み付けたペットボトル１内の飲料を飲用する際には、シュリンクフィルムを剥がし、主キャップ７を所定の方向へ回転させる。また、収容物は、上蓋９を内側筒部１１から取り外して取り出す。
【００３８】
上述のように構成する、本考案の容器の蓋体構造の場合、容器の開口部の内径側に形成した収容部に、小物などの収容物を収容することができる。このため、箱などに容器を収容して運搬する場合に、かさ張ることがなく、流通コストの低減を図ることができる。また、流通過程において、収容物が容器から分離してしまうこともない。
【００３９】
また、流通過程において、蓋体に外力が加わっても、従来構造の紙製のものと違い、変形または破損することを防止でき、この結果、収容物が変形または破損することも防止できる。
【００４０】
また、収容部は、容器の内部空間および外部空間から完全に隔離することができる。このため、十分な密封性を確保することができ、収容物がおみくじなどの紙製の場合でも、製品管理コストがかさむことはない。
【００４１】
［実施の形態の第２例］
図４および５に、本考案の蓋体構造の第１態様にかかる実施の形態の第２例を示す。本例のボトルキャップ６ａでは、主キャップ７ａの円輪部１６ａの一端面（図４、図５の上側）であって、上蓋９のフランジ部２０の他端面と円周方向に整合する２箇所位置において、径方向内端縁から径方向中間部にかけて凹溝２４が形成されている。その他の主キャップ７ａおよび上蓋９の構造は、前述した実施の形態の第１例と同様である。
【００４２】
本例の蓋体構造の場合、円輪部１６ａの一端面に凹溝２４が形成されていることにより、円輪部１６ａの一端面と、フランジ部２０の他端面の外端縁との間に隙間２５が形成されている。このため、上蓋９を主キャップ７ａから取り外す際、容易に取り外すことができる。なお、本例では、凹溝２４を円周方向２個所に設けているが、その数は適宜選択でき、凹溝２４は、少なくとも円周方向の１箇所に形成されていれば、取外し性を改善することは可能である。また、本例の場合、凹溝２４の径方向外端縁は、円輪部１６ａの端縁よりも径方向内側に存在しているが、凹溝２４を円輪部１６ａの径方向外端縁まで形成する構造にすれば（図１６、１７参照）、さらに取り外し性を良好にすることができる。
【００４３】
その他の構造、作用および効果は前述した実施の形態の第１例と同様である。
【００４４】
［実施の形態の第３例］
図６および７に、本考案の蓋体構造の第１態様にかかる実施の形態の第３例を示す。本例のボトルキャップ６ｂは、主キャップ７ｂの内側筒部１１ａの一端側内周面（図７の上側）に、雌ネジ部２６が形成されている。その他の主キャップ７ｂの構造は、前述した実施の形態の第１例と同様である。
【００４５】
また、上蓋９ａが、円筒状の嵌合部１８ａと、嵌合部１８ａの一端側を塞ぐ蓋部１９ａとを備えている。また、蓋部１９ａの一端面には、上蓋９ａに回転力を伝達可能な係合部であるコインスロット２７が形成されている。コインスロット２７の形状は一文字状の凹溝である。また、嵌合部１８ａの外周面には、内側筒部１１ａの雌ネジ部２６と螺合可能な雄ネジ部２８が形成されている。このように上蓋９ａの雄ネジ部２８が、内側筒部１１ａの雌ネジ部２６に螺合されることにより、収容部８が密閉される。
【００４６】
本例のボトルキャップ７ｂの収容部８に収容された収容物を取り出す場合、上蓋９ａのコインスロット２７に、コインなどを係合させて、所定の方向に上蓋９ａを回転させて取り外す。
【００４７】
上述のように構成する、本考案の容器の蓋体構造の場合、内側筒部１１ａと上蓋９ａとを両ネジ部２６、２８の螺合により結合している。このため、収容部８の密封性が高く、内側筒部１１ａと上蓋９ａとの結合を安定して行える。
【００４８】
その他の構造、作用および効果は前述した実施の形態の第１例と同様である。
【００４９】
［実施の形態の第４例］
図８〜１５に、本考案の蓋体構造の第２態様にかかる実施の形態の第４例を示す。
【００５０】
本例のボトルキャップ６ｃは、主キャップ７ｃと、副キャップ２９と、収容部８ａと、上蓋９ｂとを備え、キャップが主キャップ７ｃと副キャップ２９の２つにより構成される点で、第１態様と異なっている。
【００５１】
主キャップ７ｃは、外側筒部１０ａと、内側筒部１１ｂと、連結部である円輪部１６ｂのほか、この円輪部１６ｂの中間部から軸方向に一端側に向けて伸長する取付け部１２とをさらに備える。これらの部材は、一体に形成されている。
【００５２】
主キャップ７ｃのうち、内側筒部１１ｂは、外側筒部１０ａと同軸に配され、外側筒部１０ａよりも長く伸長し、軸方向一端側（図９の上側）を開口し、軸方向他端側に底板部１５ａを有する有底円筒状の部材である点では第１態様と同様であるが、これ自体が収容部を構成しない点で第１態様と異なる。したがって、内側筒部１１ｂは、容器１の内部空間と連通しない構造としてもよいが、連通する構造も採り得る。
【００５３】
たとえば、底板部１５ａの径方向中央部に、底板部１５ａの軸方向一端側と他端側とを連通する通孔３０を設けてもよい。また、内側筒部１１ｂには、軸方向中間部の他端寄り部分から軸方向他端縁の円周方向の複数箇所において、内側筒部１１ｂの内周面から外周面に貫通する軸方向に長いスリット３１を設けてもよい。さらに、内側筒部１１ｂの軸方向他端側の内周面の円周方向複数箇所で、各スリット３１が形成されていない位置には、径方向内方に突出した回転止めの係止リブ３２を設けてもよい。
【００５４】
取付け部１２は、円筒状の部材であって、円輪部１６ｂの軸方向一端面の径方向中間部から、軸方向一端側（図９の上方）へ突出する状態で設けられている。また、取付け部１２の外周面の軸方向中間部には、全周にわたり、径方向外方へ突出した主キャップ側係合凸部３３（図１０参照）が形成されている。
【００５５】
副キャップ２９は、係合筒部３４と、収容筒部３５とを備えている。このうち、係合筒部３４は、内径が、主キャップ７ｃの取付け部１２の外径よりも大きい円筒状である。また、係合筒部３４の内周面の軸方向中間部には、全周にわたり、径方向内方へ突出する副キャップ側係合凸部３６（図１０参照）が形成されている。副キャップ側係合凸部３６の内径は、取付け部１２の外径よりも大きく、主キャップ側係合凸部３３の外径よりもわずかに小さい。
【００５６】
収容筒部３５は、一端側に大径部３７を、中間部から他端側にかけて大径部３７の外径よりも小さい外径を有する小径部３８を備えている。このような大径部３７と小径部３８とは、大径部３７の軸方向他端と、小径部３８の軸方向一端とが段部３９により連続に形成されている。また、小径部３８の軸方向他端側は底板部４０により塞がれており、容器１の内部空間とは連通しないようになっている。
【００５７】
主キャップ７ｃに回転止め係止リブ３２が設けられている場合には、小径部３８の軸方向他端側外周面の円周方向複数箇所に、この主キャップ７ｃの回転止め係止リブ３２と係合可能な係止溝４１を設けてもよい。この場合、組付け状態で、各回転止めの係止リブ３２と各係止溝４１とが係合することにより、副キャップ２９が主キャップ７ｃに対して相対回転することを阻止される。
【００５８】
このような、係合筒部３４と収容筒部３５とは、軸方向一端部同士を、円輪状の連結部４２を介して一体に形成されている。そして、収容部８ａは、この副キャップ２９の内側、すなわち、収容筒部３５の内周面と、収容筒部３５の底板部４０の一端面とに囲まれる部分に形成される。
【００５９】
上蓋９ｂは、第１態様と同様の構造であって、その嵌合部１８ｂは、収容筒部３５の大径部３７の内径とほぼ同じ外径を有する。これにより、嵌合部１８ｂが、収容部８ａの開口部１７ａである収容筒部３５の大径部３７の軸方向一端側内周面に対して締まり嵌めにより圧入される。なお、このような圧入による上蓋９ｂの収容筒部３５に対する保持力は、搬送時の振動、衝撃などにより上蓋９ｂが収容筒部３５から外れることがなく、開封の際に、力のない者でも外せる程度に確保できればよい。
【００６０】
組付け状態では、嵌合部１８ｂの軸方向他端縁が、段部３９の軸方向一端側内周面に当接もしくは近接対向する。また、本例の場合、上蓋９ｂの収容筒部３５に対する所望の保持力を確保するために、上蓋の嵌合部１８ｂの他端側外周面に、一部または全周にわたり他の外周面よりもわずかに大きい外径を有する突出部４３（図１１参照）を設けている。これにより、上蓋９ｂが、収容筒部３５から簡単に抜けることがなく、かつ、開封の際に、力のない者でも容易に取り外すことができ程度の保持力を得ている。なお、図１１には、突出部４３の自由状態における形状が示されている。  また、本例の蓋体構造において、主キャップ７ｃの内側筒部１１ｂにスリット３１および通孔３０が形成されている場合には、組付け状態で、容器が密閉されるように、複数のシール構造を備えることが好ましい。
【００６１】
たとえば、図１２に示すように、内側筒部１１ｂの外周面において、軸方向一端寄り部分を他の部分より大きな外径を有する大径外周面４４として、組付け状態で、大径外周面４４を、ペットボトル１の開口部２の内周面と隙間なく当接させ、ペットボトル１の開口部２と、主キャップ７ｃとの間のシールを図ることができる。
【００６２】
また、円輪部１６ｂの軸方向他端面の径方向中間部には全周にわたり、該他端面から軸方向他方側へ突出したシール用リブ４６（図１２では自由状態における形状を示す。）を設けて、組付け状態で、シール用リブ４６を、対向するペットボトル１の開口部２の軸方向一端面と隙間なく当接させ、ペットボトル１の開口部２と主キャップ７ｃとの間のシールを図ることができる。なお、さらに大きなシール性を要する場合には、シール用リブ４６を形成せず、前記円輪部１６ｂの軸方向他端面と、前記ペットボトル１の開口部２の軸方向一端面との間に、エラストマー、または発泡性樹脂などの円輪状のシール部材を設ける構造により代替させるとよい。
【００６３】
さらに、図１３に示すように、副キャップ２９の連結部４２の軸方向他端面に、全周にわたりシール用リブ４７を設けシール用リブ４７と対向する主キャップ７ｃの取付け部１２の軸方向一端面に全周にわたり係止溝４８を形成して、組付け状態で、シール用リブ４７は係止溝４８と係合させて、主キャップ７ｃと、副キャップ２９との間のシールを図ってもよい。
【００６４】
加えて、図１４に示すように、副キャップ２９の収容筒部３５において、小径部３８の外周面の軸方向中間部に、全周にわたり、径方向外方へ突出したシール用リブ４９（図１４では、自由状態を示す。）を軸方向に少なくとも１つ設け、組付け状態で、シール用リブ４９を、シール用リブ４９と対向する主キャップ７ｃの内側筒部１１ｂの内周面と当接させ、主キャップ７ｃと、副キャップ２９との間のシールを図ることもできる。
【００６５】
さらに、図１５に示すように、主キャップ７ｃの内側筒部１１ｂの内周面の軸方向一端寄り部分に、全周にわたりＯリング用係止溝５０（図１５では、自由状態を示す。）を形成し、組付け状態で、Ｏリング５１を係止させ、対向する副キャップ２９の収容筒部３５の外周面と当接させて、主キャップ７ｃと副キャップ２９との間のシールを構成するようにしてもよい。なお、図示の例は射出成形により、内側筒部１１ｂとＯリング５１とを一体成形した場合の形状を示している。
【００６６】
本例のボトルキャップ６ｃの組立ては、たとえば、以下のような手順で行う。
【００６７】
まず、収容部８ａに収容物を収容する。次に、収容筒部３５の軸方向一端側内周面に、上蓋９ｂの嵌合部１８ｂを内嵌することにより圧入する。このようにして、収容部８ａを密閉する。そして、副キャップ２９の収容筒部３５の係止溝４１と、主キャップ７ｃの回転止め係止リブ３２とが係合された状態で、収容筒部３５を、主キャップ７ｃの内側筒部１１ｂに対して、内側筒部１１ｂの軸方向一端側から押し込むことで、副キャップ２９と主キャップ７ｃとを結合してボトルキャップ６ｃとする。この押し込み作業は、副キャップ２９の係合筒部３４の副キャップ側係合凸部３６が、主キャップ７ｃの取付け部１２の主キャップ側係合凸部３３を乗り越えるまで行う（図９、１０参照）。
【００６８】
次いで、主キャップ７ｃの外側筒部１０ａの雌ネジ部１４と、ペットボトル１の開口部２の雄ネジ部１３とを螺合することで、ボトルキャップ６ｃをペットボトル１に対して組み付ける。
【００６９】
さらに、未開封であることを証明するバージンシールとして、前記ボトルキャップ６ｃをペットボトル１に対して組み付けた状態で、該ボトルキャップ６ｃと、該ペットボトル１の開口部２の周辺とをシュリンクフィルム（図示省略）で覆う。なお、バージンシールとしては、主キャップの外側筒部の軸方向他端部に、主キャップのペットボトルの開口部に対する相対回転に伴って、主キャップから切り離される、切り離し部を形成するような、従来から周知の各種構造を採用できる。
【００７０】
本例のボトルキャップ６ｃを組み付けたペットボトル１内の飲料を飲用する際には、シュリンクフィルムを剥がし、主キャップ７ｃを所定の方向へ回転させる。また、収容物は、上蓋９ｂを収容筒部３５から取り外して取り出す。
【００７１】
この構造は、たとえば、副キャップを一端側を封止し、他端側を使用時に開放可能な構造の収容部として構成した蓋体構造と、主キャップを共通して使用できるため、副キャップの構造を交換することにより、使用時に、おみくじなどの収容物を一端側から取り出せる構造と、逆に、密封された飲料用粉体などを開栓時に容器の内部空間に開放し、飲料との接触混合を可能にする構造とを、一部を共通する生産工程により製造することが可能となる利点がある。
【００７２】
［実施の形態の第５例］
図１６および１７に、本考案の蓋体構造の第２態様にかかる実施の形態の第５例を示す。          
【００７３】
本例のボトルキャップ６ｄは、副キャップ２９ａの連結部４２ａの一端面（図１６、１７の上側）の、上蓋９ｂのフランジ部２０ａの他端面と円周方向に整合する２箇所位置に、凹溝２４ａが形成されている。本例の場合、凹溝２４ａは、連結部４２ａの径方向内端縁から、径方向外端縁まで形成されている。これにより第２例と同様の効果を得ることができる。その他の構造は、前述した実施の形態の第４例と同様である。
【００７４】
［実施の形態の第６例］
図１８および１９に、本考案の蓋体構造の第２態様にかかる実施の形態の第６例を示す。
【００７５】
本例のボトルキャップ６ｅは、副キャップ２９ｂの収容筒部３５ａの一端側内周面（図１９の上側）に、雌ネジ部５２が形成されており、一方、上蓋９ｃの嵌合部１８ｃの外周面には、収容筒部３５ａの雌ネジ部５２と螺合可能な雄ネジ部２８ａが設けられ、かつ、蓋部１９ｃの一端面には、上蓋９ｃに回転力を伝達可能な係合部であるコインスロット２７が形成されている。これにより、第３例と同様の効果を得ることができる。その他の副キャップ２９ｂの構造および主キャップ７ｃの構造は、前述した実施の形態の第４例と同様である。
【産業上の利用可能性】
【００７６】
本考案を、各実施例に示したようなペットボトルのキャップの構造に適応した場合の用途としては、たとえば、ペットボトル内には、観光地などにおける特産品（野菜、果物、湧水、深層水など）を原料にした飲料（ジュース、水など）を収容し、キャップの収容部には、観光地などにおけるマスコットなどのキャラクターのストラップやフィギュアなどの小物を収容することが考えられる。このような状態で販売すれば、観光地で消費されるだけでなく、お土産品としての利便性が高い。
【００７７】
なお、本考案は、各実施例に示したようなペットボトルのキャップの構造に限ることなく適応することができる。キャップの収容部に、ペットボトルの内部空間および外部空間と隔離した状態で収容物を収容するような各種用途に利用することが可能である。
【符号の説明】
【００７８】
１  ペットボトル
２  開口部
３  ビニール袋
４  大径部
５  収容容器
６、６ａ、６ｂ、６ｃ、６ｄ、６ｅ  ボトルキャップ
７、７ａ、７ｂ、７ｃ  主キャップ
８、８ａ  収容部
９、９ａ、９ｂ、９ｃ  上蓋
１０、１０ａ  外側筒部
１１、１１ａ、１１ｂ  内側筒部
１２  取付け部
１３  雄ネジ部
１４  雌ネジ部
１５、１５ａ  底板部
１６、１６ａ、１６ｂ  円輪部
１７、１７ａ  開口部
１８、１８ａ、１８ｂ、１８ｃ  嵌合部
１９、１９ａ、１９ｂ、１９ｃ  蓋部
２０、２０ａ  フランジ部
２１  大径外周面
２２  小径外周面
２３  シール用リブ
２４、２４ａ  凹溝
２５、２５ａ  隙間
２６  雌ネジ部
２７  コインスロット
２８、２８ａ  雄ネジ部
２９、２９ａ、２９ｂ  副キャップ
３０  通孔
３１  スリット
３２  回転止めの係止リブ
３３  主キャップ側係合凸部
３４  係合筒部
３５、３５ａ  収容筒部
３６  副キャップ側係合凸部
３７  大径部
３８  小径部
３９  段部
４０  底板部
４１  係止溝
４２、４２ａ  連結部
４３  突出部
４４  大径外周面
４５  小径外周面
４６  シール用リブ
４７  シール用リブ
４８  係止溝
４９  シール用リブ
５０  Ｏリング用係止溝
５１  Ｏリング
５２  雌ネジ部
【図１】
0003161747.tif 000003
【図２】
0003161747.tif 000004
【図３】
0003161747.tif 000005
【図４】
0003161747.tif 000006
【図５】
0003161747.tif 000007
【図６】
0003161747.tif 000008
【図７】
0003161747.tif 000009
【図８】
0003161747.tif 000010
【図９】
0003161747.tif 000011
【図１０】
0003161747.tif 000012
【図１１】
0003161747.tif 000013
【図１２】
0003161747.tif 000014
【図１３】
0003161747.tif 000015
【図１４】
0003161747.tif 000016
【図１５】
0003161747.tif 000017
【図１６】
0003161747.tif 000018
【図１７】
0003161747.tif 000019
【図１８】
0003161747.tif 000020
【図１９】
0003161747.tif 000021
【図２０】
0003161747.tif 000022
【図２１】
0003161747.tif 000023